(57)【要約】【課題】外箱の中で安定して収納物を固定でき、緩衝効果が損なわれることのない収納物固定部材を提供する。【解決手段】外箱に挿入し収納物を固定する収納物固定部材であって、折罫ａを対称軸として上下に対称な一対の収納物固定板１Ａ、１Ｂと、一対の収納物固定板の左右にそれぞれ折罫ｂ、ｃ、ｄ、ｅを介し、外箱の側面の内側に沿うように保持板２Ａ、２Ｂ、２Ｃ、２Ｄを設け、収納物固定板には開孔部６Ａ、６Ｂが設けられ、開孔部を塞ぐようにフィルム７が設けられ、対称軸の折罫から折って、対向したフィルムの間に収納物を固定する。【選択図】図１
2014189285.tif 000002
【特許請求の範囲】
【請求項１】
外箱に挿入し収納物を固定する収納物固定部材であって、
折罫を対称軸として上下に対称な一対の収納物固定板と、該一対の収納物固定板の左右にそれぞれ折罫を介し、前記外箱の側面の内側に沿うように保持板を設け、前記収納物固定板には開孔部が設けられ、該開孔部を塞ぐようにフィルムが設けられ、前記対称軸の折罫から折って、対向した前記フィルムの間に前記収納物を固定することを特徴とする収納物固定部材。
【請求項２】
前記一対の収納物固定板の各開孔部を、１枚の前記フィルムが塞ぐように設けられていることを特徴とする請求項1に記載の収納物固定部材。
【請求項３】
前記収納物固定板の端部に折罫を介し、取っ手を設けたことを特徴とする請求項１または２に記載の収納物固定部材。
【発明の詳細な説明】
【技術分野】
【０００１】
本発明は、収納物固定部材に関するものである。特に、衝撃に対して敏感な物品をダンボール箱などに包装するのに用いる収納物固定部材に関するものである。
【背景技術】
【０００２】
衝撃に対して敏感な物品を包装する場合、従来から緩衝材が使われていて、これらの緩衝材としては、発泡樹脂のペレットや、収納する物品の形状に合わせて成形した発泡樹脂の成形品が用いられている。また、最近では、発泡樹脂の廃棄が問題になり、ダンボール紙などで、物品の形状に合わせて仕切りを兼ねた緩衝材も使用されている。
【０００３】
成形品やダンボール紙の緩衝材では、物品の形状に合わせて、それぞれ、作らなければならないことや、緩衝効果をより強く求められる、衝撃に対して敏感な物品に対しては、物品を２枚のフィルムの間に挟んで、浮かせた状態で包装することが行われるようになってきた。
【０００４】
例えば、外箱の内部に装着し収納物を両側から挟むように保持して緩衝性を付与する緩衝材で、板紙又は段ボールを基材として、矩形状の天板とその周囲四辺に折り曲げ線を介して側壁板を連設し、且つ天板の中央には窓状の打ち抜き部を設け、その上に緩衝機能性フィルムを窓貼りして構成し、緩衝機能性フィルム側が収納物に対向するようにして用いる緩衝材がある（例えば、特許文献１）。
【０００５】
上記のような緩衝材では、上下２つの緩衝材がセットとなっていて、それぞれにフィルムが貼られている。このような構造の場合、梱包の中で緩衝材が中で動くことがあり、上下の緩衝材が水平に安定しているとは限らず、緩衝材の機能を果たせない恐れがある。
【０００６】
公知文献を以下に示す。
【先行技術文献】
【特許文献】
【０００７】
【特許文献１】特開２００４−７５０７２号公報
【発明の概要】
【発明が解決しようとする課題】
【０００８】
本発明は上記した事情に鑑みてなされたもので、外箱の中で安定して収納物を固定でき、緩衝効果が損なわれることのない収納物固定部材を提供することを課題としている。
【課題を解決するための手段】
【０００９】
本発明の請求項１に係る発明は、外箱に挿入し収納物を固定する収納物固定部材であって、
折罫を対称軸として上下に対称な一対の収納物固定板と、該一対の収納物固定板の左右にそれぞれ折罫を介し、前記外箱の側面の内側に沿うように保持板を設け、前記収納物固定板には開孔部が設けられ、該開孔部を塞ぐようにフィルムが設けられ、前記対称軸の折罫から折って、対向した前記フィルムの間に前記収納物を固定することを特徴とする収納物固定部材である。
【００１０】
本発明の収納物固定部材は、以上のような構成であって、一対の収納物固定板が折罫を介して設けられ、外箱の側面の内側に沿うように保持板を設けられ、この保持板で収納物
固定板が支えられるので、収納物固定板が安定して、収納物固定板にもう受けられたフィルムに挟まれた収納物は安定して固定され、緩衝効果が損なわれることがない。
【００１１】
また、本収納物固定部材では、縦置きが可能であるので、床面積が少なく済むように置くことが出来、包装した後の保管や輸送に便利である。
【００１２】
本発明の請求項２に係る発明は、前記一対の収納物固定板の各開孔部を、１枚の前記フィルムが塞ぐように設けられていることを特徴とする請求項1に記載の収納物固定部材である。
【００１３】
本発明の収納物固定部材は、一対の収納物固定板の各開孔部を、１枚の前記フィルムが塞ぐように設けられているので、フィルムを貼る工程が１回で済み、生産時間の短縮ができ、また、コスト的にも有利である。
【００１４】
本発明の請求項３に係る発明は、前記収納物固定板の端部に折罫を介し、取っ手を設けたことを特徴とする請求項１または２に記載の収納物固定部材である。
【００１５】
本発明では、収納物固定板の端部に折罫を介し、取っ手を設けてあるので、外箱への出し入れや、外箱に入れる前や、外箱から出したときにも取り扱いが便利で、重量のある収納物であっても片手での取り扱いが可能である。
【発明の効果】
【００１６】
本発明の収納物固定部材は、外箱の中で安定して収納物を固定でき、緩衝効果が損なわれることがない。
【図面の簡単な説明】
【００１７】
【図１】本発明の収納物固定部材の一例の展開図である。
【図２】本発明の収納物固定部材の一例の使用方法を説明する説明図である。
【図３】本発明の収納物固定部材の一例に収納物を収納した状態を説明する説明図である。（Ａ）平面図、（Ｂ）正面図。
【図４】本発明の収納物固定部材の一例を挿入する外箱を説明する斜視図である。
【図５】本発明の収納物固定部材の一例を外箱に挿入した状態を説明する平面図である。
【図６】本発明の収納物固定部材の一例を外箱から取り出す状態を説明する斜視図である。
【発明を実施するための形態】
【００１８】
以下、本発明を実施するための形態につき説明する。
図１は、本発明の収納物固定部材の一例の展開図である。
【００１９】
本例の収納物固定部材１００は、図１の展開図に示すように、折罫ａを対称軸として上下に対称な一対の収納物固定板１Ａ、１Ｂが設けられている。そして、一対の収納物固定板の左右にそれぞれ折罫ｂ、ｃ、ｄ、ｅを介し、保持板２Ａ、２Ｂ、２Ｃ、２Ｄが設けられている。
【００２０】
本例では、保持板２Ｂ、２Ｄの右側に折罫ｆ、ｇを介して補強板３Ａ、３Ｂが設けられている。また、収納物固定板１Ａの上端部に折罫ｈを介し取っ手４Ａが、収納物固定板１Ｂの下端部に折罫ｉを介し、取っ手４Ｂが設けられている。取っ手４Ａ、４Ｂにはそれぞれ貫通孔５Ａ、５Ｂが設けられ、折罫ａで折ったときに、この貫通孔５Ａ、５Ｂが重なり、指を差し込んで、取っ手４Ａ、４Ｂをまとめて持てるようになっている。
【００２１】
収納物固定板１Ａ、１Ｂには、それぞれ、開孔部６Ａ、６Ｂが設けられていて、この開孔部６Ａ、６Ｂを塞ぐように、１枚のフィルム７が貼られて設けられている。収納物固定板１Ａ、１Ｂを折罫ａで谷折することによって、折られたフィルム７が対向し、その間に収納物を挟み込んで固定するようになっている。
【００２２】
図２は、本発明の収納物固定部材の一例の使用方法を説明する説明図である。
図３は、本発明の収納物固定部材の一例に収納物を収納した状態を説明する説明図で、（Ａ）平面図、（Ｂ）正面図である。
【００２３】
図１の展開図の収納物固定部材１００の折罫ｂを山折し、保持板２Ａを図１の背後側に倒し、次に折罫ｃを山折りし、保持板２Ｂを背後側に倒す。続いて、折罫ｆを山折りして、保持板２Ａに補強板３Ａを重ねる。
【００２４】
同様に、折罫ｄを山折し、保持板２Ｃを図１の背後側に倒し、次に折罫ｅを山折りし、保持板２Ｄを背後側に倒す。続いて、折罫ｇを山折りして、保持板２Ｃに補強板３Ｂを重ねる。このとき、保持板２Ａと補強板３Ａを、また、保持板２Ｃと補強板３Ｂを、接着剤で貼って固定してもよいし、また、別の係止機構を設けて固定するようにしてもよい。
【００２５】
このようにすると、収納物固定部材１００の断面が略三角柱形状になる。そして、図２の説明図のように、収納物固定板１Ｂの開孔部６Ｂを覆う部分のフィルム７上に収納物８を置く。
【００２６】
次に、折罫ａを谷折して、収納物８を折られたフィルム７の間に挟んで固定する。このように、折罫ａを谷折すると、収納物固定部材１００の略三角柱形状が重ねあわされて、断面が略四角柱形状になる。そして、折罫ｈと折罫ｉを山折して、取っ手４Ａ、４Ｂを外側に倒すと、図３の（Ａ）平面図、（Ｂ）正面図のようになる。
【００２７】
図４は、本発明の収納物固定部材の一例を挿入する外箱を説明する斜視図である。
図５は、本発明の収納物固定部材の一例を外箱に挿入した状態を説明する平面図である。
【００２８】
本例の収納物固定部材１００を挿入する外箱２００は、図４のようなダンボール箱である。この外箱２００の上端の開放端より、図３の略四角柱形状になった、収納物固定部材１００を挿入する。
【００２９】
このようにすると図５の平面図のように、略四角柱形状の収納物固定部材１００が断面が四角形の外箱２００の中に納まり、外箱２００の隣り合う２つの側面の内側に保持板２Ａ、２Ｂが、外箱２００の他の隣り合う２つの側面の内側に保持板２Ｃ、２Ｄが、沿うようになる。
【００３０】
このため、外箱２００の中で、保持板２Ａ、２Ｂ、２Ｃ、２Ｄが固定され、その結果、収納物固定板１Ａ、１Ｂが固定され、外箱２００の中で安定して収納物８を固定でき、緩衝効果が損なわれることがない。また、本収納物固定部材１００は、縦置きが可能であるので、床面積が少なく済むように置くことが出来、包装した後の保管や輸送にも便利である。
【００３１】
図６は、本発明の収納物固定部材の一例を外箱から取り出す状態を説明する斜視図である。
【００３２】
外箱２００から収納物８が固定され保持された収納物固定部材１００を取り出すには、図６のように、折られていた折罫ｈ、ｉを戻して取っ手４Ａ、４Ｂを、それぞれ収納物固
定板１Ａ、１Ｂと同一平面になるように起こす。
【００３３】
こうすることによって、重なり合った貫通孔５Ａ、５Ｂに指を入れて、取っ手４Ａ、４Ｂを持つことが出来、収納物固定部材１００を外箱２００から容易に取り出すことが出来る。
【００３４】
また、外箱２００から取り出すときのみでなく、外箱２００へ入れるときにも使用すると便利である。又、外箱２００に入れる前や、外箱２００から出した後も取り扱いが便利である。そして、重量のある収納物８であっても片手で取り扱うことが可能である。
【００３５】
収納物固定部材１００は、紙とフィルム７からなっている。使用する紙としては、板紙やダンボール紙が好ましく使用することが出来る。又、フィルム７には、ある程度弾性のある樹脂などのフィルムが用いられる。
【００３６】
フィルムの材料としては、ポリウレタン系熱可塑性エラストマー、エチレン−酢酸ビニル共重合体、シングルサイト触媒で重合した直鎖状低密度ポリエチレンなどのポリオレフィン、天然ゴムや合成ゴムなどが使用することが出来る。特に、ポリウレタン系熱可塑性エラストマーが好ましく使用することが出来る。
【００３７】
上記の板紙やダンボール紙などの紙を打ち抜いて、図１の収納物固定部材１００の外形、貫通孔５Ａ、５Ｂ、及び、開孔部６Ａ、６Ｂを形成する。次に、開孔部６Ａ、６Ｂを塞ぐように、収納物固定板１Ａ、１Ｂにフィルム７を紙器製造の窓貼りの要領で貼れば、図１の収納物固定部材１００が出来上がる。
【００３８】
このように、収納物固定部材１００は、紙を打ち抜いて、フィルム７を貼るだけであるので製造工程が簡単である。また、収納物固定板１Ａ、１Ｂが折罫ａを介して連続しているので、フィルム７は１枚のフィルムを貼るだけよいので、工程数が少なくてでき、更に、１つの外箱２００に１つの収納物固定部材１００で済むので、梱包作業も容易でわずらわしさもない。
【符号の説明】
【００３９】
１００・・・収納物固定部材
２００・・・外箱
ａ、ｂ、ｃ、ｄ、ｅ、ｆ、ｇ、ｈ、ｉ・・・折罫
１Ａ、１Ｂ・・・収納物固定板
２Ａ、２Ｂ、２Ｃ、２Ｄ・・・保持板
３Ａ、３Ｂ・・・補強板
４Ａ、４Ｂ・・・取っ手
５Ａ、５Ｂ・・・貫通孔
６Ａ、６Ｂ・・・開孔部
７・・・フィルム
８・・・収納物
【図１】
2014189285.tif 000003
【図２】
2014189285.tif 000004
【図３】
2014189285.tif 000005
【図４】
2014189285.tif 000006
【図５】
2014189285.tif 000007
【図６】
2014189285.tif 000008